(57)【特許請求の範囲】
【請求項１】
輸液チューブを押圧して送液する本体と、前記本体に対して回動可能に接続されたカバーとを備えた輸液ポンプであって、
前記本体は、その両側の側面の外縁部に開口部を有するようにして上面に形成された溝部に収容されると共に、互いに接近するように前記両側の側面から内側に押されることで、前記カバーの回動が可能となるようにした一対のボタンを有し、
前記ボタンは、その先端面が前記側面よりも外側に突出して配置されると共に、前記先端面が前記側面よりも内側に入り込んだ位置で、前記カバーが回動するようになっており、
前記内側に入り込んだ位置と前記側面との距離は、前記開口部に使用者が片手で指を押し付けた際の前記指の腹の膨らみに対応した寸法とされている
ことを特徴とする輸液ポンプ。
【請求項２】
前記ボタンの前記先端面の厚みは、前記溝部に収容された領域の厚みに比べて大きいことを特徴とする請求項１に記載の輸液ポンプ。
【請求項３】
前記本体は前記上面に開口した窪み部を有し、
前記窪み部には、スライドして前記送液の開始と停止を指示する開始停止スイッチが設けられており、
前記開始停止スイッチは、前記窪み部内を前記スライドする台座部、及びこの台座部の上に略垂直に配置され、前記台座部を前記スライドさせるために指で押され又は摘まれる摘み部を有しており、
前記台座部は、前記スライドさせて前記送液を開始した状態において、前記カバーの係止部と係止される凸部を有する
ことを特徴とする請求項１又は２に記載の輸液ポンプ。
【請求項４】
前記摘み部は、その上端部が前記窪み部の前記開口よりも上方に突出し、かつ、前記スライド方向と直交する方向の中央部の厚みが最も小さくなるようにして、前記指で押され又は摘まれる主面が湾曲形状とされている
ことを特徴とする請求項３に記載の輸液ポンプ。
【請求項５】
前記窪み部の前記スライド方向の内壁は、前記スライド方向の中心側であって上側を向いた傾斜面とされ、
前記傾斜面は、前記スライド方向と直交する方向の中央部が最も外側となり、前記直交する方向の両端部が最も前記中心側となるように湾曲形状とされている
ことを特徴とする請求項４に記載の輸液ポンプ。
【発明の詳細な説明】
【技術分野】
【０００１】
本発明は、体内に薬液を注入するための輸液ポンプに係り、詳しくは、カバーの開閉機構を有する輸液ポンプに関するものである。
【背景技術】
【０００２】
患者に対して、時間当たり薬液を決められた量だけ注入する輸液ポンプは広く使用されており、例えば、医療機関だけでなく、在宅等でも使用できるようにコンパクトに形成したものが知られている（特許文献１参照）。
特許文献１の輸液ポンプは、このような在宅仕様のものであり、外部から導入される薬液を通す可撓性チューブを着脱式のカセットに導く構成とされている。
【０００３】
具体的には、該着脱式のカセットは、そのケース内に可撓性の輸液チューブが導入され、該チューブを該ケース外部に導出する構成とされている。このようなカセットは、本体に対して回動可能なカバーを開けて、本体のカセット収納部に装着し、カバーを閉じて装着すると、ケースから一部露出した該チューブに対して、回転ローラが押しつけられるようになっている。そして、スイッチを入れて回転ローラを駆動させ、該チューブに蠕動様運動を与えて、チューブ内の薬液を順次送り出すようにされている。
【０００４】
そして、特許文献１の輸液ポンプの場合、本体とカバーとの留めがね等による係止状態を解除してカバーを回動させるボタンは、本体上面に配置されており、使用者は上からこのボタンを容易に押す構成とされている。
また、この本体とカバーとの係止状態を解除するボタンについては、図６に示すように、上面６側で露出して、側面２から内側に押し込むタイプのボタン（以下、「上面スライド式ボタン」という）４もある。上面スライド式ボタン４は、例えば床に落として衝突しても押し込まれないように、側面２から突出していない。一方、上面スライド式ボタン４は、側面２から突出していなくても上面６側で露出しているため、使用者はこれを内側に深く押し込んで、カバー８が開けられるようになっている。
【先行技術文献】
【特許文献】
【０００５】
【特許文献１】特許第３９３１０１３号公報
【発明の概要】
【発明が解決しようとする課題】
【０００６】
ところで、カバーを開けるためのボタンが、上述の上面スライド式ボタン４であると、落下などによる意図しないカバー８の回動を有効に防止できるが、該ボタン４を側面から内側に深く押し込む必要があることから、我々はより簡単にカバーの回動が行えないかと考えた。特に、本物品の場合、その使用者が病人や高齢者などの非力な者であることを考慮すると、より容易にカバーが開けられることが好ましい。
【０００７】
本発明は上記課題を解消するためになされたものであり、落下などの意図しないボタンへの接触によりカバーが開いてしまうことを防止しつつ、非力な者であってもカバーを容易に開けることができる輸液ポンプを提供することを目的とする。
【課題を解決するための手段】
【０００８】
上記目的は、請求項１の発明によれば、輸液チューブを押圧して送液する本体と、前記本体に対して回動可能に接続されたカバーとを備えた輸液ポンプであって、前記本体は、その両側の側面の外縁部に開口部を有するようにして上面に形成された溝部に収容されると共に、互いに接近するように前記両側の側面から内側に押されることで、前記カバーの回動が可能となるようにした一対のボタンを有し、前記ボタンは、その先端面が前記側面よりも外側に突出して配置されると共に、前記先端面が前記側面よりも内側に入り込んだ位置で、前記カバーが回動するようになっており、前記内側に入り込んだ位置と前記側面との距離は、前記開口部に使用者が片手で指を押し付けた際の前記指の腹の膨らみに対応した寸法とされている輸液ポンプにより達成される。
【０００９】
上記構成によれば、カバーを回動させるためのボタンは、本体の上面側で露出して、側面から内側に押されるボタンであり、その先端面が本体側面よりも外側に突出している。このため、ボタンは、側面と同一面に配置されている場合に比べて、押し込み易い。ここで、単に、ボタンが側面よりも外側に突出していると、例えば輸液ポンプが落下した際に押されてカバーが開いてしまう恐れがある。しかし、ボタンの先端面が本体側面よりも内側に入り込んだ位置でないとカバーは回動しないため、その恐れも防止できる。さらに、このボタンは、カバーを回動させるための先端面が内側に入り込んだ位置と本体側面との距離が、使用者の指の腹の膨らみに対応した寸法とされている。したがって、使用者は、指の腹を本体側面に押し付けるようにしてボタンを押しさえすればよく、カバーを容易に回動させることができる。
【００１０】
また好ましくは、前記ボタンの前記先端面の厚みは、前記溝部に収容された領域の厚みに比べて大きいことを特徴とする。上記構成によれば、ボタンは本体上面に形成された溝部に収容されているため、不用意にボタンに触れることを防止できる。また、ボタン先端面の厚みは大きく形成されているため、使用者はボタンを押し易い。
【００１１】
また好ましくは、前記本体は前記上面に開口した窪み部を有し、前記窪み部には、スライドして前記送液の開始と停止を指示する開始停止スイッチが設けられており、前記開始停止スイッチは、前記窪み部内を前記スライドする台座部、及びこの台座部の上に略垂直に配置され、前記台座部を前記スライドさせるために指で押され又は摘まれる摘み部を有しており、前記台座部は、前記スライドさせて前記送液を開始した状態において、前記カバーの係止部と係止される凸部を有することを特徴とする。
より好ましくは、前記摘み部は、その上端部が前記窪み部の前記開口よりも上方に突出し、かつ、前記スライド方向と直交する方向の中央部の厚みが最も小さくなるようにして、前記指で押され又は摘まれる主面が湾曲形状とされていることを特徴とする。
上記構成によれば、開始停止スイッチは、上端部が開口よりも上側に突出しているため、指がかりが容易となる。さらに、その摘み部の主面は、スライド方向と直交する方向の中央部の厚みが最も小さくなるように湾曲形状とされているため、指先形状に適合して、摘み部と内壁との間が狭くても指を挿入し易い。
【００１２】
また好ましくは、前記窪み部の前記スライド方向の内壁は、前記スライド方向の中心側であって上側を向いた傾斜面とされ、前記傾斜面は、前記スライド方向と直交する方向の中央部が最も外側となり、前記直交する方向の両端部が最も前記中心側となるように湾曲形状とされていることを特徴とする。
上記構成によれば、窪み部のスライド方向の内壁が上側を向いた傾斜面とされているため、開口面積が大きくなり指が挿入し易くなり、また、挿入した指を摘み部までガイドしてくれる。さらに、この傾斜面は湾曲形状により指先形状に適合し、摘み部と内壁との間が狭くても指を挿入し易い。
【発明の効果】
【００１３】
本発明によれば、落下などの意図しないボタンへの接触によりカバーが開いてしまうことを防止しつつ、非力な者であってもカバーを容易に開けることができる輸液ポンプを提供することができる。
【図面の簡単な説明】
【００１４】
【図１】本発明の輸液ポンプの好ましい実施形態を示す概略斜視図。
【図２】図１の輸液ポンプのカバーを開いて、カセットを装着した状態を示す概略斜視図。
【図３】図１の輸液ポンプのカバーを半開きにして、開始停止スイッチ側から視認した概略斜視図。
【図４】図１のＡ−Ａ断面図。
【図５】図４のＢ−Ｂ線の位置で切断した場合の開始停止スイッチの断面図。
【図６】従来の輸液ポンプを説明するための斜視図。
【発明を実施するための形態】
【００１５】
以下に、本発明の好ましい実施形態を、図面を参照して詳しく説明する。なお、以下に説明する各図面において同一の符号が付されている箇所は共通する構成である。
図１は本発明の輸液ポンプのカバーを閉じた概略斜視図、図２はそのカバーを開いて、カセットを装着した状態を示す概略斜視図である。
図１及び図２において、輸液ポンプ１０は、全体が略矩形状とされた携帯型の輸液ポンプであり、長さ方向Ｙの寸法よりも幅方向Ｘの寸法が短く、幅方向Ｘの両側面４４，４４を片手で把持できる程度に小型化されている。
このような輸液ポンプ１０は、本体１１と、この本体１１に対して回動可能に接続されたカバー１２とを有している。
【００１６】
カバー１２は、カセット収納部１５を覆う開閉可能な部材であり、好ましくは内側の状態が視認可能な透明体とされている。
本実施形態の場合、カバー１２は、長さ方向Ｙの一方の端部に配置されたヒンジ１３を中心として、本体幅方向Ｘを軸周りに回動可能とされている。そして、カバー１２は、図示しない付勢手段、例えば、ヒンジ１３の軸周りにトーションコイル等を配設することにより、図２に示すように、常時開方向に付勢されている。
また、カバー１２は、全体がカセット収納部１５の凹状に対応した箱状とされており、カバー１２を押し込んだ閉じた状態において、ヒンジ１３と反対側の端部１２ａ（図３参照）が、本体１１と係止されるようになっている。そして、カバー１２と本体１１との係止状態は、本体１１の側面外縁部から突出すると共に、本体１１内の図示しないバネ等の弾性部材により幅方向Ｘの外側に付勢されたボタン１６，１６を、三角の矢印Ｃ方向に手指で押し込むことにより、解除されるようになっている。
このカバー１２とボタン１６の構造については、後で詳細に説明する。
【００１７】
本体１１は、輸液チューブを有するカセットが着脱可能に取り付けられる筐体を有し、この筐体は、好ましくは、耐薬品性、耐衝撃性を有する熱可塑性合成樹脂、例えば、ハイインパクトスチロールやＡＢＳ樹脂等で形成されている。
本体１１の内側には、輸液送り部であるロータユニット３１を駆動するための図示しないモータが配置されており、該モータの駆動源を得るために、本体側面には電源アダプタが差し込まれるジャック７８が設けられている。さらに、該モータの駆動源を得るために、本体１１の底面側から乾電池が収容される電池収容部３５（図４参照）も設けられている。なお、電池収容部には、毎日新しい乾電池を入れ替えて使用することが推奨もしくは義務付けられており、本実施形態では充電できる電池ではなく、一次電池である。
【００１８】
本体１１の上面４６であってカセット収納部１５に隣接した領域には、本体幅方向Ｘにスライド操作して、送液の開始と停止を指示する開始停止スイッチ７０が設けられている。この開始停止スイッチ７０は、２つのボタン１６，１６の間に配置され、２つのボタン１６，１６どうしを結ぶ仮想線Ｌ１（図１参照）に沿って、スライドするようになっている。この開始停止スイッチ７０についても、後で詳細に説明する。
また、本体の上面４６には、液晶表示装置等で形成した表示部１８が設けられ、運転状態や報知情報等を表示するようになっており、また、これらの他、図示しないモード選択スイッチ等を備えることができる。
また、本体上面４６には、例えば発光ダイオードランプのような点灯手段による点灯表示部ＬＰが、表示部１８の付近に配置されている。この点灯表示部ＬＰは、例えばロータユニット３１の駆動を点灯により目視で報知するようになっている。
【００１９】
そして、本体１１のヒンジ１３側の領域は、全幅（本体幅方向Ｘの全体）を凹状とすることで、輸液チューブ２１を引きこみかつ導出するためのカセット２０を着脱可能にセットするカセット収納部１５が形成されている。本実施形態のカセット収納部１５は、本体１１の上面側の約半分程度の厚さ分であって、平面視においてヒンジ１３側の略半分程度の面積を占める領域を凹状として形成されている。
【００２０】
このカセット収納部１５上には、ロータユニット３１と、閉塞検出部８３と、スライダ３２，３３とが配置されている。
ロータユニット３１は、図示しないモータからの駆動力が伝達されて回転するようになっている。このロータユニット３１の外周には、例えば、４か所以上の図示例では５つのチューブ押圧部３１Ｒが設けられており、ロータユニット３１のチューブ押圧部３１Ｒが図２の矢印方向に回転することにより、チューブ２１を順次押圧して、チューブ２１に対して蠕動様運動を付与することができる。このロータユニット３１は、外部から薬液を導入するための輸液チューブに対して圧接し、該輸液チューブに対して蠕動様運動をさせて、薬液を送出するための輸液送り部の一例である。本実施形態では、蠕動様運動させて薬液を送出しているが、これに限らず、フィンガ方式を用いても良い。このとき、送液される設定流量の範囲は、５〜３００ｍＬ/ｈであり、また輸液ポンプ１０の総重量は、電池を入れた状態で約３２０ｇである。
【００２１】
閉塞検出部８３は、カセット２０がカセット収納部１５内に装着されたことを検出して、カセット２０のチューブ２１が閉塞されているか否かを検出する。この閉塞検出部８３には、カセット検出用の突起部材９９が設けられている。この突起部材９９は、付勢部材１３３の力により、カセット収納部１５内においてヒンジ１３側に突出している。しかし、突起部材９９は、カセット収納部１５内に装着されたカセット２０が、付勢部材１３３の力に抗して開始停止スイッチ７０側に押されることで、図示しないスイッチがオンとなり、このオン信号が図示しない制御部に通知されるようになっている。そして、制御部は該スイッチがオンとされたことを確認して、初めてロータユニット３１は駆動されるように制御されている。
【００２２】
スライダ３２，３３は、カセット２０を装着する手段であり、該装着された後にカバー１２を閉じることで、ロータユニット３１及び閉塞検出部８３に向って移動するようになっている。
具体的には、ロータユニット３１とヒンジ１３との間に第１のスライダ３２が、閉塞検出部８３とヒンジ１３との間に第２のスライダ３３が、それぞれ幅方向Ｘに並んで配置されている。この第１のスライダ３２と第２のスライダ３３はそれぞれ係止片３２ａ，３３ａを備えており、これら係止片がカセット２０の貫通孔からなる係合用スリット２２，２３に挿入されるようになっている。そして、係止片３２ａ，３３ａは、付勢手段により常時ヒンジ１３側に付勢されているが、カセット２０を装着してカバー１２を閉じると、ヒンジ１３よりも該カバー１２の内側に設けられた当接部１４がカセット２０を押すことにより、該カセット２０と共に、カセット収納部１５においてロータユニット３１及び閉塞検出部８３側にスライドするようになっている。
これにより、カセット２０をセットしてカバー１２を閉じた状態においては、第１のスライダ３２の係止片３２ａは、カセット２０と共にロータユニット３１側に移動され、該カセット２０に内蔵された可撓性のチューブ２１をロータユニット３１に対して押圧することができる。また、第２のスライダ３３の係止片３３ａは、カセット２０と共に閉塞検出部８３側に移動され、閉塞検出部８３の突起部材９９にカセット２０を押し付け、これにより、図示しないスイッチがオンとなって、ロータユニット３１の駆動が可能となる。
【００２３】
なお、カセット２０は、合成樹脂で形成された図示のような横長のケース体であり、該ケース体の外縁に沿って矢印Ｆ方向から導入され、カセット２０内でほぼＵ字状に曲折され、矢印Ｅ方向に導出されている可撓性チューブ（輸液チューブ）２１を収容するものである。該チューブ２１に対しては、薬液が外部から矢印Ｆ方向に導入され、矢印Ｅ方向に導出され、該矢印Ｅ方向の延長には、留置針などが接続されて患者に輸液されるものである。なお、カバー１２には切欠き部１９が設けられており、該切欠き部１９からチューブ２１がカバー１２の外部に導出されるようになっている。
【００２４】
また、カセット２０は、カセット収納部１５に装着された状態におけるロータユニット３１と対向する領域が切り欠かれており、チューブ２１の一部を外部に露出させる露出部２４が形成されている。そして、この露出部２４から露出したチューブ２１がロータユニット３１のチューブ押圧部３１Ｒに押圧されることで、上述したように蠕動様運動がチューブ２１に付与されるようになっている。
なお、第１のスライダ３２は、図１に示すように、長さ方向Ｙに２つの係止片３２ａ，３２ａを有しており、この２つの係止片３２ａ，３２ａの間に、互いに離間する方向に付勢するようにされたバネなどの弾性部材からなるダンパ部材３２ｃが設けられている。これにより、ロータユニット３１側の係止片３２ａがチューブ２１をロータユニット３１に押し付ける力を適度に和らげている。
【００２５】
本発明の実施形態は概ね以上のような特徴を有しているが、ここで、本実施形態のさらなる特徴的な構成として、カバー１２を開閉するためのボタン１６、及びそれとカバー１２との係止構造、並びに、開始停止スイッチ７０などについて、詳細に説明する。
先ず、ボタン１６及びそれとカバー１２との係止構造などについて、図１及び図２を参照しながら図３及び図４を中心に説明する。
図３は輸液ポンプ１０のカバー１２を半開きにして、開始停止スイッチ７０側から視認した概略斜視図、図４は図１のＡ−Ａ断面図（カバーの閉状態において、カバーの端部で横断した断面図）である。なお、図４の一点鎖線で囲った図は、ボタン周辺の拡大図であり、ボタンを内側に押し込んだ図を示している。
ボタン１６，１６は、カバー１２と本体１１との係止状態を解除する解除ボタンとも言うことができ、本実施形態の場合、その幅や長さに比べて厚みＤ１，Ｄ２の寸法が小さな板状ないし駒状とされている。
【００２６】
そして、この２つのボタン１６，１６を、本体幅方向Ｘの両側面４４，４４から内側にスライドするように押すことで、カバー１２が回動するようになっている。
具体的には、ボタン１６，１６は、その上面が本体上面４６側で露出すると共に、先端面１６ａが側面４４側で露出するように配置され、互いに本体長さ方向Ｙの同様の位置に設けられ、本体幅方向Ｘに沿って互いに接近・離間するようにスライドする構成とされている。これにより、片手の親指ＴＨとその他の指ＦＯにより、本体１１を挟むようにしてボタン１６，１６を内側に押し込むことができる。
なお、この２つのボタン１６，１６は、その押される向きが異なるだけで、構成は同様であるため、以下、１つのボタン１６についてのみ説明する。
【００２７】
ボタン１６は、本体１１の上面４６に形成された溝部４８に露出するように収容されている。溝部４８は、カセット収納部１５に隣接しており、さらに、本体側面４４の上面４６側の外縁部を切り欠くようにして、本体幅方向Ｘの端部に形成されている。なお、図４に示すように、この側面外縁部を切り欠くことで側面４４側に形成された開口部４８ａは、指ＴＨ，ＦＯを開口部４８ａに押し付けた状態において、その内側に腹部が入り込む面積を有している。
そして、カバー１２の閉状態において、ボタン１６は、その先端面１６ａが側面４４から外側に突出している。具体的には、本体１１は、図４に示すように、本体厚み方向Ｚの中央部ＣＬにおける幅方向Ｘの寸法Ｘ１が最も大きくなっており、上側の筐体の側面４４ａは、側面４４の中央部ＣＬから上方に向うに従って除々に傾斜する傾斜面とされている。そして、ボタン１６は、側面４４の中央部ＣＬよりも外側に突出する必要はなく、ボタン１６の周辺領域（つまり、ボタン１６の先端面１６ａに指ＴＨ，ＦＯの腹を当接した際、その指の腹に略対向する領域）４４ｂから突出していればよく、本実施形態の場合、側面外縁部の周辺領域よりも外側に突出している。
【００２８】
また、本体の側面４４は、ボタン１６の該突出した領域の側面１６ｂに隣接する部分４４ｃ、つまり、本実施形態の場合、ボタン１６は側面外縁部に配置されているため、本体側面４４の外縁部が、面取りされるように外側に向って凸となるように湾曲形状とされている。
さらに、本実施形態のボタン１６は、図３に示すように、先端面１６ａの厚みＤ１が、溝部４８に収容された領域の厚みＤ２に比べて大きく形成されている。なお、ボタンの厚みＤ１は、その上側の面のみが外側に向うに従って除々に上方に傾斜するようにして、大きくなっている。
このようにして、本実施形態のボタン１６は、出来るだけその突出寸法が小さくなるように工夫しながらも、使用者が指ＴＨ，ＦＯで押さえた時に突出感を感じて押さえ易くしている。
【００２９】
このようなボタン１６は、その先端面１６ａが側面４４よりも内側に入り込んだ位置で、カバー１２が回動するようになっている。
具体的には、図２に示されるように、ボタン１６のカバー側側面には係止用の突起部５０が設けられている。この突起部５０は、本体１１のカセット収納部１５を形成するための凹状部の内壁１５ａに形成されたスリット状の貫通孔５４に挿通されて、カセット収納部１５側に突出し、この貫通孔５４にガイドされながら、ボタン１６のスライド方向Ｘに合わせてスライドするようになっている。
【００３０】
そして、突起部５０は、カバー１２が閉じられた閉状態では、図４に示すように、カバー１２の端部１２ａに形成された凹部６０に挿入されている。
この凹部６０は、図３及び図４に示すように、その内側にて突起部５０がスライド可能な第１の孔６０ａを有しており、この第１の孔６０ａの内壁には、幅方向Ｘの外側に突起部５０が配置された図４の状態（つまり、ボタン１６が押されていない状態）において、カバー１２がその付勢手段で回動しないように、突起部５０と係止される上向きの段部からなる係止部６０ｂを有している。そして、突起部５０がこの係止部６０ｂよりも内側に配置されるように、ボタン１６を側面４４よりも内側にスライドさせると、係止部６０ｂとの係止状態が解除され、突起部５０は第１の孔６０ａと繋がった孔であり、突起部５０を係止することがない第２の孔６０ｃに移動して、カバー１２は回動する。
【００３１】
そして、このようにカバー１２が回動して開状態になるためのボタン１６の先端面１６ａが内側に入り込んだ位置Ｐ１（図４の一点鎖線で囲った図参照）と、本体側面４４との距離（本体幅方向Ｘに沿った距離）Ｘ１が、使用者の指ＴＨ，ＦＯの腹の膨らみに略対応した寸法とされている。すなわち、本実施形態の場合、係止部６０ｂの幅方向Ｘの寸法Ｘ２と、使用者が指ＴＨ，ＦＯを開口部４８ａに押し付けた際に、その腹が側面４４よりも内側に溝部４８に入り込む寸法Ｘ１とが同様となるように形成されている。これにより、使用者は、指ＴＨ，ＦＯを側面４４に押し付けるだけで、突起部５０と係止部６０ｂとの係止状態が解除され、カバー１２を開けることができる。
【００３２】
次に、開始停止スイッチ７０について、上述した図１ないし図４、及び図４のＢ−Ｂ線の位置で切断した場合の開始停止スイッチの断面図である図５を用いて詳細に説明する。
開始停止スイッチ７０は、図５に示すように、板状の台座部７３と、この台座部７３の上に略垂直に配置され、スライドさせるために指で押され又は摘まれる摘み部１７とを有している。
台座部７３には、図２に示すように凸部７９が設けられている。この凸部７９は、ロータユニット３１を駆動させている最中にボタン１６を押しても、カバー１２が開かないように、ボタン１６とは別に、カバー１２の係止部６４ｂと係止される突起である。
具体的には、凸部７９は、本体１１のカセット収納部１５を形成するための凹状部の内壁１５ａに形成されたスリット状の貫通孔５５に挿通されて、カセット収納部１５側に突出し、この貫通孔５５にガイドされながら、開始停止スイッチ７０のスライド方向Ｘに合わせてスライドするようになっている。
【００３３】
そして、凸部７９は、カバー１２が閉じられた図４の状態では、カバー１２の端部１２ａに形成された第２の凹部６４（図３参照）に挿入されている。この第２の凹部６４は、図３及び図４に示すように、その内側にて凸部７９が幅方向Ｘにスライド可能なように第１の孔６４ａを有しており、この第１の孔６４ａの内壁には、開始停止スイッチ７０を開始側（図４の左側）にスライドさせた状態において、ボタン１６を押してもカバー１２が回動しないように、凸部７９と係止される上向きの段部からなる係止部６４ｂを有している。そして、開始停止スイッチ７０を停止側にスライドさせると、凸部７９は図４に示すように、係止部６４ｂから外れて配置され、第１の孔６４ａと繋がった孔であり、凸部７９を係止することがない第２の孔６４ｃに移動し、この状態でボタン１６，１６を押すとカバー１２は回動する。
【００３４】
このような開始停止スイッチ７０は、図１及び図２に示すように、上面に開口した窪み部７２に設けられている。具体的には、窪み部７２は、底部が平面視において略矩形状とされ、この底部と本体幅方向（スライド方向）Ｘの２つの内壁７４，７４の各下端との間に隙間（図示せず）が形成され、その隙間に、図５の台座部７３がスライド可能に挿入される。
【００３５】
ここで、摘み部１７は、図３及び図４に示すように、指がかりが容易となるように、その上端部１７ａが窪み部７２の開口よりも上方に突出している。なお、上端部１７ａは、本実施形態のように、スライド方向Ｘと直交する方向Ｙの両端部が当該開口付近に配置され（上面４６と同一の高さとされ）、中央部が当該開口よりも上方に突出するようにして、上方に向って凸となる湾曲形状とされるのが好ましい。これにより、摘み部１７に引っかかって開始停止スイッチ７０が意図せずスライドすることを有効に防止できる。
そして、この摘み部１７の指で押され又は摘まれる主面１７ｂ，１７ｂは、図４及び図５に示すように、スライド方向Ｘと直交する方向Ｙの中央部１７ａ−１の厚みが最も小さくなるように湾曲形状とされている。
本実施形態の場合、スライド方向Ｘの両主面（図５の摘み部１７の左右の主面）１７ｂ，１７ｂは、図４に示すように、指を上側から差し入れた際、その指の膨らみに対応するように、スライド方向Ｘに凹となる湾曲形状とされている。さらに、主面１７ｂは、図５に示すように、スライド方向Ｘの外側であって上側を向いた傾斜面とされている。
【００３６】
そして、窪み部７２は、図１ないし図４に示すように、スライド方向Ｘの内壁７４，７４が、スライド方向Ｘの中心側（摘み部１７側）であって上側を向いた傾斜面とされている。これにより、窪み部７２は底部に比べて開口側の面積の方が大きくなって、指が差し入れ易くなり、さらに、指を摘み部１７まで導くことができる。
そして、この内壁７４，７４は、図２に示すように、スライド方向Ｘと直交する方向Ｙの中央部７４ａが最も外側（図２の場合、右側の内壁は右側、左側の内壁は左側）となり、当該直交する方向Ｙの両端部７４ｂ，７４ｂが最も中心側（摘み部１７側）となるように湾曲形状とされている。なお、本実施形態の内壁７４，７４は、摘み部１７の主面１７ｂの湾曲形状と向きは逆であるが、その曲率は同様とされている。
これにより、例えば図４のように、摘み部１７が開始マーク或いは停止マークのいずれか一方の側に寄せられ、摘み部１７と内壁７４とで画される空間が狭くなっていても、指先形状に対応して、指を容易に挿入することができる。
【００３７】
ところで、本発明は上記実施形態に限定されない。
例えば、本実施形態では、カバー１２は、ボタン１６の突起部５０とカバー１２の凹部６０との係止により閉状態とされているが、例えば、ボタン１６を押すことで、電子的に制御された例えばラッチが、カバー１２を留めるようにしてもよい。
【符号の説明】
【００３８】
１０・・・輸液ポンプ、１１・・・本体、１２・・・カバー、１５・・・カセット収納部、１６・・・ボタン、１６ａ・・・先端面、１７・・・摘み部、２０・・・カセット、２１・・・（輸液）チューブ、３１・・・ロータユニット（輸液送り部の一例）、４８・・・溝部、７２・・・窪み部、７０・・・開始停止スイッチ
【図１】
0005646863.tif 000002
【図２】
0005646863.tif 000003
【図３】
0005646863.tif 000004
【図４】
0005646863.tif 000005
【図５】
0005646863.tif 000006
【図６】
0005646863.tif 000007